(57)【要約】【課題】効果的なパスワードを使用する。【解決手段】認証システムは、文章（例えば、歌詞）を含む対象（例えば、楽曲）を識別する情報および当該文章における位置（例えば、開始位置および終了位置）を識別する情報を含むパスワード情報を記憶するパスワード情報記憶部と、パスワードの認証のために、文章を含む対象を識別する情報および当該文章における位置を識別する情報を含むパスワード情報を取得するパスワード情報取得部と、前記パスワード情報取得部により取得されたパスワード情報について、前記パスワード情報記憶部に記憶されたパスワード情報と照合して、パスワードの認証を行う認証部と、を備えることを特徴とする。【選択図】図１
2014078162.tif 000002
【特許請求の範囲】
【請求項１】
文章を含む対象を識別する情報および当該文章における位置を識別する情報を含むパスワード情報を記憶するパスワード情報記憶部と、
パスワードの認証のために、文章を含む対象を識別する情報および当該文章における位置を識別する情報を含むパスワード情報を取得するパスワード情報取得部と、
前記パスワード情報取得部により取得されたパスワード情報について、前記パスワード情報記憶部に記憶されたパスワード情報と照合して、パスワードの認証を行う認証部と、
を備えることを特徴とする認証システム。
【請求項２】
パスワードの認証のために文章を含む対象を識別する情報および当該文章における位置を識別する情報を含むパスワード情報を取得するパスワード情報取得部により取得されたパスワード情報について、文章を含む対象を識別する情報および当該文章における位置を識別する情報を含むパスワード情報を記憶するパスワード情報記憶部に記憶されたパスワード情報と照合して、パスワードの認証を行う認証部を備えることを特徴とする認証装置。
【請求項３】
認証部が、パスワードの認証のために文章を含む対象を識別する情報および当該文章における位置を識別する情報を含むパスワード情報を取得するパスワード情報取得部により取得されたパスワード情報について、文章を含む対象を識別する情報および当該文章における位置を識別する情報を含むパスワード情報を記憶するパスワード情報記憶部に記憶されたパスワード情報と照合して、パスワードの認証を行うステップを有することを特徴とする認証方法。
【請求項４】
コンピュータに、
認証部が、パスワードの認証のために文章を含む対象を識別する情報および当該文章における位置を識別する情報を含むパスワード情報を取得するパスワード情報取得部により取得されたパスワード情報について、文章を含む対象を識別する情報および当該文章における位置を識別する情報を含むパスワード情報を記憶するパスワード情報記憶部に記憶されたパスワード情報と照合して、パスワードの認証を行う手順を実行させるための認証プログラム。
【請求項５】
パスワードの設定のために、文章を含む対象を識別する情報および当該文章における位置を識別する情報を含むパスワード情報を取得するパスワード情報取得部と、
前記パスワード情報取得部により取得されたパスワード情報をパスワード情報記憶部に記憶させて、パスワードの設定を行うパスワード設定部と、
を備えることを特徴とするパスワード設定システム。
【請求項６】
パスワードの設定のために文章を含む対象を識別する情報および当該文章における位置を識別する情報を含むパスワード情報を取得するパスワード情報取得部により取得されたパスワード情報をパスワード情報記憶部に記憶させて、パスワードの設定を行うパスワード設定部を備えることを特徴とするパスワード設定装置。
【請求項７】
パスワード設定部が、パスワードの設定のために文章を含む対象を識別する情報および当該文章における位置を識別する情報を含むパスワード情報を取得するパスワード情報取得部により取得されたパスワード情報をパスワード情報記憶部に記憶させて、パスワードの設定を行うステップを有することを特徴とするパスワード設定方法。
【請求項８】
コンピュータに、
パスワード設定部が、パスワードの設定のために文章を含む対象を識別する情報および当該文章における位置を識別する情報を含むパスワード情報を取得するパスワード情報取得部により取得されたパスワード情報をパスワード情報記憶部に記憶させて、パスワードの設定を行う手順を実行させるためのパスワード設定プログラム。
【発明の詳細な説明】
【技術分野】
【０００１】
本発明は、認証システム、認証装置、認証方法および認証プログラムならびにパスワード設定システム、パスワード設定装置、パスワード設定方法およびパスワード設定プログラムに関する。
【背景技術】
【０００２】
パスワードを入力する機会が増えており、例えば、インターネットにおけるサービスへのログインや物品の購入などの際に、ユーザがパスワードを入力する。
一例として、ユーザがキーボードのキーを操作して、パスワードとなるキーワードを入力する技術が知られている。
しかしながら、キーボードを使用しない機器、例えばテレビ受像機におけるパスワードの入力は、特に数字以外をパスワードとして使用した場合、ユーザにとって面倒である。また、パスワードとして、簡単な文字列は破られやすいため使用されない方がよく、複雑な文字列の方が破られにくいが、複雑な文字列はユーザにとって入力しにくく覚えにくく忘れやすい。
【０００３】
他の例として、指紋、声紋、顔画像、静脈などに基づく各種の認識系を使用する認証技術では、一般に、高価で専門のデバイスが必要である。さらにこのような生体認証では、本人拒否率や他人受け入れ率を同時に０にはできない。
【０００４】
他の例として、特許文献１には、入力された暗証情報にもとづいて操作者の正当性を判定する暗証システムが開示されている（特許文献１参照。）。具体的には、この暗証システムは、決められた順序の複数の音から成るガイド音（例えば、楽曲）を発生するガイド音発生手段（例えば、スピーカ）と、操作が行われるごとに前記操作が行われたことを表す信号を生成する入力部（例えば、タッチパネル）と、前記ガイド音を成す複数の構成音の組み合わせを記憶している記憶部（例えば、パスワード保管部）と、前記入力部が前記信号を生成するごとに前記信号が生成されたタイミングに時間的にもっとも近い前記ガイド音の構成音を識別し、識別した複数の前記構成音の組み合わせが、前記記憶部に記憶されている前記構成音の組み合わせに一致するか否かを判定する判定部と、を備える。そして、この判定結果が正となった場合に、操作者が正当な操作者であると判定される。これにより、操作箇所の目視を不要とし、かつ入力部の設置スペースを縮小することが図られる。
しかしながら、このようなリズムを使用するパスワードの入力では、正しく入力するためには、ユーザ（ここでは、操作者）にとって習熟が必要となる。また、リズム中における入力のタイミングにはバラつきが必ず発生するため、認証に誤り（本人拒否および他人受入）が発生することは避けられない。
【先行技術文献】
【特許文献】
【０００５】
【特許文献１】特開２０００−０９００５１号公報
【発明の概要】
【発明が解決しようとする課題】
【０００６】
上述のように、様々な認証技術があるが、現在においても未だに、入力が簡単で、覚えやすく、忘れにくく、かつ破られにくいパスワードを使用する認証技術が求められている。
【０００７】
本発明は、このような事情に鑑みてなされたものであり、その目的は、効果的なパスワードを使用することができる認証システム、認証装置、認証方法および認証プログラムならびにパスワード設定システム、パスワード設定装置、パスワード設定方法およびパスワード設定プログラムを提供することにある。
【課題を解決するための手段】
【０００８】
（１）本発明は上記の課題を解決するためになされたものであり、本発明の一態様は、認証システムであって、文章を含む対象を識別する情報および当該文章における位置を識別する情報を含むパスワード情報を記憶するパスワード情報記憶部と、パスワードの認証のために、文章を含む対象を識別する情報および当該文章における位置を識別する情報を含むパスワード情報を取得するパスワード情報取得部と、前記パスワード情報取得部により取得されたパスワード情報について、前記パスワード情報記憶部に記憶されたパスワード情報と照合して、パスワードの認証を行う認証部と、を備えることを特徴とする。
【０００９】
（２）また、本発明の一態様は、上記した（１）に記載の認証システムであって、前記対象の候補を表示する対象候補表示部と、前記対象候補表示部により表示された前記対象の候補のうちで前記ユーザにより指定された対象について、当該対象に含まれる文章の一部または全部を表示する文章表示部と、を備え、前記パスワード情報取得部は、前記対象候補表示部により表示された前記対象の候補のうちで前記ユーザにより指定された対象を識別する情報を取得し、前記文章表示部により表示された前記指定された対象に含まれる文章の一部または全部のうちで前記ユーザにより指定された位置を識別する情報を取得する、ことを特徴とする。
【００１０】
（３）また、本発明の一態様は、上記した（１）または上記した（２）に記載の認証システムであって、前記パスワード情報は、前記対象という項目および前記文章における位置という項目を含む複数の項目を識別する情報を含み、これら複数の項目の順序も含む、ことを特徴とする。
【００１１】
（４）また、本発明の一態様は、上記した（１）から上記した（３）のいずれか１つに記載の認証システムであって、前記パスワード情報は、前記対象に含まれる文章における複数の異なる位置を識別する情報を含む、ことを特徴とする。
【００１２】
（５）また、本発明の一態様は、認証装置であって、パスワードの認証のために文章を含む対象を識別する情報および当該文章における位置を識別する情報を含むパスワード情報を取得するパスワード情報取得部により取得されたパスワード情報について、文章を含む対象を識別する情報および当該文章における位置を識別する情報を含むパスワード情報を記憶するパスワード情報記憶部に記憶されたパスワード情報と照合して、パスワードの認証を行う認証部を備えることを特徴とする。
【００１３】
（６）また、本発明の一態様は、認証方法であって、認証部が、パスワードの認証のために文章を含む対象を識別する情報および当該文章における位置を識別する情報を含むパスワード情報を取得するパスワード情報取得部により取得されたパスワード情報について、文章を含む対象を識別する情報および当該文章における位置を識別する情報を含むパスワード情報を記憶するパスワード情報記憶部に記憶されたパスワード情報と照合して、パスワードの認証を行うステップを有することを特徴とする。
【００１４】
（７）また、本発明の一態様は、認証プログラムであって、コンピュータに、認証部が、パスワードの認証のために文章を含む対象を識別する情報および当該文章における位置を識別する情報を含むパスワード情報を取得するパスワード情報取得部により取得されたパスワード情報について、文章を含む対象を識別する情報および当該文章における位置を識別する情報を含むパスワード情報を記憶するパスワード情報記憶部に記憶されたパスワード情報と照合して、パスワードの認証を行う手順を実行させるためのプログラムである。
【００１５】
（８）また、本発明の一態様は、パスワード設定システムであって、パスワードの設定のために、文章を含む対象を識別する情報および当該文章における位置を識別する情報を含むパスワード情報を取得するパスワード情報取得部と、前記パスワード情報取得部により取得されたパスワード情報をパスワード情報記憶部に記憶させて、パスワードの設定を行うパスワード設定部と、を備えることを特徴とする。
【００１６】
（９）また、本発明の一態様は、上記した（８）に記載のパスワード設定システムであって、前記対象の候補を表示する対象候補表示部と、前記対象候補表示部により表示された前記対象の候補のうちで前記ユーザにより指定された対象について、当該対象に含まれる文章の一部または全部を表示する文章表示部と、を備え、前記パスワード情報取得部は、前記対象候補表示部により表示された前記対象の候補のうちで前記ユーザにより指定された対象を識別する情報を取得し、前記文章表示部により表示された前記指定された対象に含まれる文章の一部または全部のうちで前記ユーザにより指定された位置を識別する情報を取得する、ことを特徴とする。
【００１７】
（１０）また、本発明の一態様は、上記した（８）または上記した（９）に記載のパスワード設定システムにおいて、前記パスワード情報は、前記対象という項目および前記文章における位置という項目を含む複数の項目を識別する情報を含み、これら複数の項目の順序も含む、ことを特徴とする。
【００１８】
（１１）また、本発明の一態様は、上記した（８）から上記した（１０）のいずれか１つに記載のパスワード設定システムであって、前記パスワード情報は、前記対象に含まれる文章における複数の異なる位置を識別する情報を含む、ことを特徴とする。
【００１９】
（１２）また、本発明の一態様は、パスワード設定装置であって、パスワードの設定のために文章を含む対象を識別する情報および当該文章における位置を識別する情報を含むパスワード情報を取得するパスワード情報取得部により取得されたパスワード情報をパスワード情報記憶部に記憶させて、パスワードの設定を行うパスワード設定部を備えることを特徴とする。
【００２０】
（１３）また、本発明の一態様は、パスワード設定方法であって、パスワード設定部が、パスワードの設定のために文章を含む対象を識別する情報および当該文章における位置を識別する情報を含むパスワード情報を取得するパスワード情報取得部により取得されたパスワード情報をパスワード情報記憶部に記憶させて、パスワードの設定を行うステップを有することを特徴とする。
【００２１】
（１４）また、本発明の一態様は、パスワード設定プログラムであって、コンピュータに、パスワード設定部が、パスワードの設定のために文章を含む対象を識別する情報および当該文章における位置を識別する情報を含むパスワード情報を取得するパスワード情報取得部により取得されたパスワード情報をパスワード情報記憶部に記憶させて、パスワードの設定を行う手順を実行させるためのプログラムである。
【発明の効果】
【００２２】
本発明によれば、効果的なパスワードを使用することができる認証システム、認証装置、認証方法および認証プログラムならびにパスワード設定システム、パスワード設定装置、パスワード設定方法およびパスワード設定プログラムを提供することができる。
【図面の簡単な説明】
【００２３】
【図１】本発明の実施形態に係るパスワード設定・認証システムの構成の一例を示す概略ブロック図である。
【図２】本発明の実施形態に係る設定・認証サーバの構成の一例を示す概略ブロック図である。
【図３】本発明の実施形態に係る端末の構成の一例を示す概略ブロック図である。
【図４】本発明の第１実施形態に係るジャンル選択画面の一例を示す図である。
【図５】本発明の第１実施形態に係る楽曲選択画面の一例を示す図である。
【図６】本発明の第１実施形態に係る開始位置選択画面の一例を示す図である。
【図７】本発明の第１実施形態に係る終了位置選択画面の一例を示す図である。
【図８】本発明の第１実施形態に係るパスワード設定処理の流れの一例を示すフローチャート図である。
【図９】本発明の第２実施形態に係るジャンル選択画面の一例を示す図である。
【図１０】本発明の第２実施形態に係る楽曲選択画面の一例を示す図である。
【図１１】本発明の第２実施形態に係る開始位置選択画面の一例を示す図である。
【図１２】本発明の第２実施形態に係る終了位置選択画面の一例を示す図である。
【図１３】本発明の第２実施形態に係るパスワード認証処理の流れの一例を示すフローチャート図である。
【図１４】本発明の第３実施形態に係る英語を用いる位置選択画面の一例を示す図である。
【図１５】本発明の第４実施形態に係る中国語を用いる位置選択画面の一例を示す図である。
【発明を実施するための形態】
【００２４】
以下、図面を参照しながら本発明の実施形態について詳しく説明する。
［本実施形態に係るパスワード設定・認証システムの概要］
図１は、本実施形態に係るパスワード設定・認証システムの構成の一例を示す概略ブロック図である。
本実施形態に係るパスワード設定・認証システムは、パスワードの設定を行うパスワード設定システムの機能と、パスワードの認証を行う認証システムの機能とを組み合わせて備えるシステムである。
【００２５】
本実施形態に係るパスワード設定・認証システムは、設定・認証サーバ１と、ユーザにより操作される端末２と、無線の回線３を備える。
ここで、本実施形態では、設定・認証サーバ１と端末２は、無線の回線３を介して通信するが、他の構成例として、無線の回線３の代わりに、有線の回線が用いられてもよい。
また、本実施形態では、１個の設定・認証サーバ１と通信する端末として、１個の端末２を示すが、１個の設定・認証サーバ１が複数の端末のそれぞれと通信してもよい。
【００２６】
図２は、本実施形態に係る設定・認証サーバ１の構成の一例を示す概略ブロック図である。
本実施形態に係る設定・認証サーバ１は、パスワードの設定を行うパスワード設定装置の機能と、パスワードの認証を行う認証装置の機能とを組み合わせて備える装置である。
本実施形態に係る設定・認証サーバ１は、ユーザ管理部１１と、楽曲管理部１２と、歌詞提示部１３と、パスワード設定部１４と、認証部１５と、通信部１６を備える。
【００２７】
ユーザ管理部１１は、ユーザを識別する情報（ＩＤ）と、当該ユーザのパスワード情報とを対応付けて、パスワード情報記憶部１００１に記憶して管理する。ユーザ管理部１１は、例えば、複数のユーザについての情報（前記した対応付け）を管理する。
ここで、本実施形態では、パスワード情報として、楽曲を識別する情報（ＩＤ）と、当該楽曲の歌詞における位置（本実施形態では、開始位置と終了位置）を識別する情報（ＩＤ）との組み合わせを用いる。
また、パスワード情報記憶部１００１は、例えば、メモリを用いて構成される。
【００２８】
楽曲管理部１２は、歌詞を含む楽曲（曲）の情報（楽曲データ）をメモリに記憶して管理する。楽曲管理部１２は、例えば、複数の楽曲の情報を管理する。また、楽曲管理部１２は、楽曲のジャンルの一覧（ジャンル一覧）の情報をメモリに記憶して管理する。
ここで、各楽曲は、１つまたは２つ以上のジャンルに対応付けられている。楽曲管理部１２は、楽曲とジャンルとの対応付けの情報をメモリに記憶して管理する。
【００２９】
歌詞提示部１３は、楽曲の歌詞を提示する。
パスワード設定部１４は、ユーザのＩＤと当該ユーザのパスワード情報との対応付けを設定する。パスワード設定部１４により設定された対応付けは、ユーザ管理部１１により管理される。
認証部１５は、ユーザ管理部１１により管理される情報に基づいて、ユーザのＩＤと当該ユーザのパスワード情報との対応付けを認証する。
通信部１６は、無線の回線３を介して通信する。なお、無線の回線３の代わりに有線の回線が用いられる場合には、通信部１６は、有線の回線を介して通信する。
【００３０】
図３は、本実施形態に係る端末２の構成の一例を示す概略ブロック図である。
ここで、端末２としては、例えば、テレビ受像機の端末、携帯電話（スマートフォンを含む）の端末、携帯情報端末（ＰＤＡ：Ｐｅｒｓｏｎａｌ  Ｄｉｇｉｔａｌ  Ａｓｓｉｓｔａｎｔ）、パーソナルコンピュータ（ＰＣ）の端末など、様々なものを用いることができる。
本実施形態に係る端末２は、パスワードの設定を行うための端末の機能と、パスワードの認証を行うための端末の機能とを組み合わせて備える装置である。
本実施形態に係る端末２は、操作部２１と、表示部２２と、通信部２３を備える。
【００３１】
操作部２１は、例えば、キー、ボタン、タッチパネル、タッチペン、マウスなどの１つ以上を用いて構成され、ユーザにより操作される。
また、操作部２１は、例えば、ユーザが発生する音声をマイクから入力して、入力した音声を音声認識機能により認識し、この音声の認識結果に基づいて操作を受け付けるものであってもよい。
具体例として、端末２としてテレビ受像機の端末が用いられる場合に、操作部２１としてテレビのリモートコントローラ（そのボタンなど）が用いられ、また、端末２として携帯電話の端末や携帯情報端末が用いられる場合に、操作部２１としてキーやタッチパネルやタッチペンや音声認識などの１つ以上が用いられ、また、端末２としてＰＣの端末が用いられる場合に、操作部２１としてキーボード（そのキー）やマウスや音声認識などの１つ以上が用いられる。
【００３２】
表示部２２は、情報を表示する画面を備える。
通信部２３は、無線の回線３を介して通信する。なお、無線の回線３の代わりに有線の回線が用いられる場合には、通信部２３は、有線の回線を介して通信する。
【００３３】
ここで、本実施形態では、表示部２２は、対象（本実施形態では、楽曲）の候補を表示する対象候補表示部１１０１と、対象（本実施形態では、楽曲）に含まれる文章（本実施形態では、歌詞）の一部または全部を表示する文章表示部１１０２を備える。
また、本実施形態では、操作部２１は、ユーザにより行われる操作に基づいて、パスワード情報を取得するパスワード情報取得部１１０３を備える。
【００３４】
［第１実施形態］
本実施形態では、図１に示されるパスワード設定・認証システム（本実施形態に係るパスワード設定・認証システム）におけるパスワードの設定について説明する。
図４は、本実施形態に係るジャンル選択画面１０１の一例を示す図である。
図５は、本実施形態に係る楽曲選択画面１０２の一例を示す図である。
図６は、本実施形態に係る開始位置選択画面１０３の一例を示す図である。
図７は、本実施形態に係る終了位置選択画面１０４の一例を示す図である。
図８は、本実施形態に係るパスワード設定処理の流れの一例を示すフローチャート図である。
【００３５】
本実施形態では、図８および図４〜図７を参照して、ユーザが端末２を操作して、当該端末２から設定・認証サーバ１へアクセスし、当該ユーザのパスワード情報を設定・認証サーバ１に設定（登録）する処理の手順の一例を示す。
【００３６】
まず、端末２において、ユーザが操作部２１を操作して、パスワードの設定要求と、当該ユーザのＩＤ（ユーザＩＤ）を入力すると、通信部２３が、この設定要求およびユーザＩＤを設定・認証サーバ１に対して送信する（処理Ｔ１）。
ここで、ユーザＩＤは、例えば、あらかじめ各ユーザに設定されており、設定・認証サーバ１のユーザ管理部１１にも設定されて記憶されている。
【００３７】
なお、設定・認証サーバ１のユーザ管理部１１にユーザＩＤが設定されていない場合には、例えば、ユーザが端末２を操作して設定・認証サーバ１へアクセスすることにより、または、設定・認証サーバ１に対して直接に、ユーザＩＤを設定（初期設定）することができる。このユーザＩＤの初期設定は、処理Ｔ１と同時に行われてもよい。
また、本実施形態では、端末２において、ユーザが操作部２１を操作してユーザＩＤを入力する構成を示すが、他の構成例として、ユーザＩＤがあらかじめ端末２のメモリに記憶されていてもよい。また、処理Ｔ１において、設定・認証サーバ１がユーザＩＤを生成して端末２に送信し、端末２はメモリにユーザＩＤを記録してもよい。
あるいは、あらかじめ端末２のメモリに記憶されている端末１台１台に固有のＩＤをユーザを識別する情報の替わりとして使用してもよい。
【００３８】
設定・認証サーバ１において、通信部１６が端末２から送信された設定要求およびユーザＩＤを受信すると、ユーザ管理部１１が当該ユーザＩＤを認識する。
また、設定・認証サーバ１において、パスワード設定部１４が、この設定要求を受けて、以下のようなパスワード設定処理（処理Ｔ２〜処理Ｔ１４）を実行するように制御する。
【００３９】
設定・認証サーバ１において、楽曲管理部１２が、楽曲のジャンル一覧の情報を通信部１６を介して端末２に対して送信する（処理Ｔ２）。この例では、ジャンル一覧の情報として、ジャンル名とジャンルを識別する情報（ＩＤ）とが送信される。
端末２において、通信部２３が設定・認証サーバ１から送信されたジャンル一覧の情報を受信すると、表示部２２がジャンル名を元に図４に示されるジャンル選択画面１０１を表示し、ユーザが操作部２１を操作してジャンルを選択する（処理Ｔ３）。
【００４０】
図４に示されるジャンル選択画面１０１では、ユーザに対してジャンルを選択することを促す「曲のジャンルを選択してください。」という文に続いて、ジャンルの一覧が示される。また、図４に示されるジャンル選択画面１０１では、各ジャンルの横に「１」〜「９」の数字が示される。
この例では、ジャンルの一覧として、「童謡」、「歌謡曲（歌手名：あ行・か行）」、・・・、「歌謡曲（歌手名：Ａ〜Ｈ）」、「歌謡曲（歌手名：Ｉ〜Ｐ）」、「歌謡曲（歌手名：Ｑ〜Ｚ）」が示される。また、この例では、ユーザは、操作部２１を操作して「１」〜「９」のうちのいずれかの数字を選択することで、選択した数字に対応するジャンルを選択する。この例では、ユーザは「２」を選択しており、ジャンル選択画面１０１では、選択されているジャンル「歌謡曲（歌手名：あ行・か行）」を囲む枠１１１が示される。なお、選択方法としては、数字を選択する代わりに、例えば操作部２１にある上ボタンもしくは下ボタンをユーザが押した際に、枠１１１を上もしくは下の項目に移動させることで選択する等の方法もある。
【００４１】
端末２において、通信部２３がユーザにより選択されたジャンルを識別する情報（ＩＤ）を設定・認証サーバ１に対して送信する（処理Ｔ４）。
設定・認証サーバ１において、通信部１６が端末２から送信されたジャンルを識別するＩＤ（ジャンルＩＤ）を受信すると、楽曲管理部１２が、このジャンルＩＤに該当するジャンルに対応付けられた楽曲の一覧（楽曲一覧）の情報を抽出し（処理Ｔ５）、抽出した楽曲一覧の情報を通信部１６を介して端末２に対して送信する（処理Ｔ６）。この例では、楽曲一覧の情報として、楽曲名と楽曲を識別する情報（ＩＤ）とが送信される。ここで、楽曲一覧の情報は、例えば、当該ジャンルの楽曲全てをまとめた情報として送信されてもよく、または、表示部２２において表示される複数のページ毎に分けられた情報として送信されてもよい。
【００４２】
端末２において、通信部２３が設定・認証サーバ１から送信された楽曲一覧の情報を受信すると、表示部２２（本実施形態では、その対象候補表示部１１０１）が楽曲名を元に図５に示される楽曲選択画面１０２を表示し、ユーザが操作部２１を操作して楽曲を選択する（処理Ｔ７）。操作部２１（本実施形態では、そのパスワード情報取得部１１０３）は、その選択結果を取得する。
【００４３】
図５に示される楽曲選択画面１０２では、ユーザに対して楽曲を選択することを促す「曲を選択してください。」という文に続いて、楽曲の一覧が示される。また、図５に示される楽曲選択画面１０２では、各楽曲の横に「１」〜「９」の数字が示される。
この例では、楽曲の一覧として、「○○○」、「△△△」、・・・、「×××」（例えば、それぞれ、楽曲の名称）が示される。また、この例では、ユーザは、操作部２１を操作して「１」〜「９」のうちのいずれかの数字を選択することで、選択した数字に対応する楽曲を選択する。この例では、ユーザは「２」を選択しており、楽曲選択画面１０２では、選択されている楽曲「△△△」を囲む枠１１２が示される。
【００４４】
端末２において、通信部２３がユーザにより選択された楽曲を識別する情報（ＩＤ）を設定・認証サーバ１に対して送信する（処理Ｔ８）。
設定・認証サーバ１において、通信部１６が端末２から送信された楽曲のＩＤ（楽曲ＩＤ）を受信すると、楽曲管理部１２が、この楽曲ＩＤに該当する楽曲の歌詞の情報を抽出し（処理Ｔ９）、歌詞提示部１３が抽出された歌詞の情報を通信部１６を介して端末２に対して送信する（処理Ｔ１０）。ここで、歌詞の情報は、例えば、当該楽曲の歌詞全てをまとめた情報として送信されてもよく、または、表示部２２において表示される複数のページ毎に分けられた情報として送信されてもよい。また、設定・認証サーバ１から端末２に送信される楽曲の歌詞の情報は、例えば、当該楽曲の歌詞の全ての情報が用いられてもよく、または、当該楽曲の歌詞のうちであらかじめ定められた一部の情報が用いられてもよい。なお、設定・認証サーバ１から端末２に送信される歌詞が、当該楽曲の歌詞の全てでない場合には、送信される歌詞が楽曲の先頭から何文字目であるか、もしくは何行目であるかという情報も送信してもよい。
【００４５】
端末２において、通信部２３が設定・認証サーバ１から送信された歌詞の情報を受信すると、表示部２２（本実施形態では、その文章表示部１１０２）が当該歌詞の情報を表示し、ユーザが操作部２１を操作して当該歌詞のうちで位置（本実施形態では、開始位置と終了位置）を選択する（処理Ｔ１１）。操作部２１（本実施形態では、そのパスワード情報取得部１１０３）は、その選択結果を取得する。
具体的には、端末２において、表示部２２が図６に示される開始位置選択画面１０３を表示し、ユーザが操作部２１を操作して開始位置を選択する（処理Ｔ１１における開始位置を選択する処理）。
【００４６】
図６に示される開始位置選択画面１０３では、ユーザに対して歌詞における開始位置を選択することを促す「開始位置を選択してください。」という文に続いて、「明日はきっと晴れる」という歌詞（この例では、歌詞の一部）が示される。また、図６に示される開始位置選択画面１０３では、この歌詞を構成する各文字の上に「１」〜「９」の数字が示される。
この例では、ユーザは、操作部２１を操作して「１」〜「９」のうちのいずれかの数字を選択することで、選択した数字に対応する文字を開始位置として選択する。この例では、ユーザは、「７」を選択しており、それに対応する「晴」という文字を選択している。開始位置選択画面１０３では、選択されている「晴」という文字を囲む枠１１３が示される。
【００４７】
続いて、端末２において、表示部２２が図７に示される終了位置選択画面１０４を表示し、ユーザが操作部２１を操作して終了位置を選択する（処理Ｔ１１における終了位置を選択する処理）。
【００４８】
図７に示される終了位置選択画面１０４では、ユーザに対して歌詞における終了位置を選択することを促す「終了位置を選択してください。」という文に続いて、開始位置選択画面１０３の場合と同じ「明日はきっと晴れる」という歌詞（この例では、歌詞の一部）が示される。また、図７に示される終了位置選択画面１０４では、開始位置選択画面１０３の場合と同じように、この歌詞を構成する各文字の上に「１」〜「９」の数字が示される。
この例では、ユーザは、操作部２１を操作して「１」〜「９」のうちのいずれかの数字を選択することで、選択した数字に対応する文字を終了位置として選択する。この例では、ユーザは、「９」を選択しており、それに対応する「る」という文字を選択している。終了位置選択画面１０４では、開始位置と終了位置により選択されている「晴れる」という文字列を囲む枠１１４が示される。
【００４９】
ここで、図６に示される開始位置選択画面１０３および図７に示される終了位置選択画面１０４では、歌詞の一部である「明日はきっと晴れる」という文字列を一画面で表示しているが、他の構成例として、歌詞の全部、または、歌詞の一部であるが異なる分量を一画面で表示する構成が用いられてもよい。また、図６に示される開始位置選択画面１０３および図７に示される終了位置選択画面１０４では、歌詞における１行分の文字列を一画面で表示しているが、他の構成例として、歌詞における複数の行の文字列をまとめて一画面で表示する構成が用いられてもよい。また、図６に示される開始位置選択画面１０３や図７に示される終了位置選択画面１０４において、歌詞の一部を一画面に表示する場合には、例えば、ユーザが操作部２１を操作して、ページを切り替えると、表示部２２が歌詞の他の部分を表示させるように表示画面の内容を切り替える。
なお、設定・認証サーバ１から端末２に送信される歌詞が楽曲の先頭から何文字目であるかという情報が送信されている場合には、楽曲の先頭からの開始位置は、開始位置選択画面１０３で指定された歌詞の先頭からの文字数に楽曲の先頭からの文字数を加算したものとする。楽曲の先頭からの終了位置についても同様に、終了位置選択画面１０４で指定された歌詞の先頭からの文字数に楽曲の先頭からの文字数を加算したものとする。
【００５０】
また、歌詞における開始位置と終了位置としては、それぞれ、任意の位置が用いられてもよく、例えば、開始位置と終了位置が同じ文字であって、1文字のみが選択されてもよい。また、例えば、開始位置と終了位置が異なるページの文字であってもよい。
また、楽曲の歌詞における位置としては、本実施形態では、歌詞における任意の文字を開始位置や終了位置として選択することが可能であるが、他の構成例として、１または複数の単語の単位や、１または複数の文の単位で、歌詞における位置を選択する構成が用いられてもよい。
【００５１】
具体例として、設定・認証サーバ１において、楽曲管理部１２は、楽曲の日本語の歌詞の情報として、単語の区切りごとに区切りを示す特定のデータ（例えば、ソフトハイフンＵ＋００ＡＤ）を有する歌詞の情報を管理し、歌詞提示部１３は、このような歌詞の情報を通信部１６を介して端末２に対して送信する。そして、端末２において、受信した歌詞の情報に含まれる前記特定のデータやスペース・句読点・改行コード等に基づいて、歌詞に含まれる単語の区切りを特定する。
また、他の具体例として、設定・認証サーバ１において、楽曲管理部１２は、楽曲の日本語の歌詞の情報として、単語の区切りが特定される歌詞の情報を管理し、歌詞提示部１３は、このような歌詞の情報を、単語の区切りごとに文字列（１文字のところがあってもよい）を分けて、通信部１６を介して端末２に対して送信する。そして、端末２において、受信した歌詞の情報に基づいて、歌詞に含まれる単語の区切りを特定する。また、端末２において、表示部２２は、例えば、受信した歌詞における単語の区切りごとに分けられた文字列を繋げて表示する。
これらの場合、開始位置選択画面１０３において、枠１１３は単語一つ分を囲むように表示し、例えば操作部２１にある右ボタンもしくは左ボタンをユーザが押した際に、枠１１３を一つ右側もしくは一つ左側の単語を囲むように移動させる。また、終了位置選択画面１０４では、例えば操作部２１にある右ボタンもしくは左ボタンをユーザが押した際に、枠１１４を枠外右隣の単語を追加もしくは枠内右端の単語を一つ減らして囲むように移動させる。あるいは終了位置選択画面１０４を省略して、単語一つ分を選択対象としてもよい。
【００５２】
また、楽曲の歌詞における位置を識別する情報としては、様々なものが用いられてもよい。
本実施形態では、楽曲の歌詞における位置を識別する情報として、一例として、歌詞における開始位置を識別する情報および終了位置を識別する情報の組み合わせ（という形式）を用いることができ、他の例として、歌詞における開始位置を識別する情報および選択部分（開始位置から終了位置までの部分）の文字数を識別する情報の組み合わせ（という形式）を用いることができる。あるいは、歌詞における開始位置を識別する情報および選択部分の文字列の組み合わせを用いることもできる。また、開始位置・終了位置を識別する情報についても、楽曲の先頭からの文字位置で表す代わりに、楽曲の先頭からの行数と行の先頭からの文字位置との組み合わせで表すことも可能である。なお、このような、楽曲の歌詞における位置を識別する情報としては、例えば、端末２において記憶される情報や、端末２と設定・認証サーバ１との間で通信される情報や、設定・認証サーバ１において記憶される情報のそれぞれについて、同じ形式の情報が用いられてもよく、または、異なる形式の情報が用いられてもよい。
【００５３】
端末２において、通信部２３がユーザにより選択された位置（本実施形態では、開始位置と終了位置）を識別する情報（位置ＩＤ）を設定・認証サーバ１に対して送信する（処理Ｔ１２）。
設定・認証サーバ１において、通信部１６が端末２から送信された位置ＩＤを受信すると、ユーザ管理部１１が、処理Ｔ１で受信したユーザＩＤと、処理Ｔ８で受信した楽曲ＩＤと、処理Ｔ１２で受信した位置ＩＤ（本実施形態では、開始位置を識別する情報および終了位置を識別する情報）を対応付けてパスワード情報記憶部１００１に記憶して登録する（処理Ｔ１３）。ここで、本実施形態では、楽曲ＩＤと位置ＩＤとの組み合わせの情報を、パスワード情報として用いている。
これにより、設定・認証サーバ１において、パスワードの設定が完了する（処理Ｔ１４）。
【００５４】
以上のように、本実施形態に係るパスワード設定・認証システムでは、楽曲の歌詞に含まれる文字（例えば、歌詞における一部分の文字列、１文字、または、歌詞における全ての文字列）をパスワードに使用する。
【００５５】
したがって、本実施形態に係るパスワード設定・認証システムによると、効果的なパスワードを使用することができ、例えば、入力が簡単で、覚えやすく、忘れにくく、かつ破られにくいパスワードを使用することができる。
具体的には、本実施形態では、ユーザは、既に存在する楽曲の歌詞を構成する文字列からパスワードとする文字列（１文字でもよい）を選択するため、入力を簡単にすることができる。これにより、本実施形態では、端末２の操作部２１として、文字そのものを入力する必要が無いことから、複雑な入力装置を不要とすることが可能である。
また、本実施形態では、ユーザは、例えば、良く知っている楽曲の歌詞を利用してパスワードを設定することで、または、良く知らなくても、既に存在する楽曲の歌詞であるため、覚えやすく、忘れにくいパスワードを設定することができる。
さらに、文字列の選択を単語単位もしくは文単位にすることによって、意味を持たない文字列よりも覚えやすく、忘れにくいパスワードを設定することができる。
また、本実施形態では、例えば、パスワードに係る文字列が同一であっても、楽曲や開始位置が異なる場合には、異なるパスワードとなるため、セキュリティ的により強固なパスワードとなり、破られにくいパスワードとすることができる。
【００５６】
また、本実施形態では、パスワードが取り得る組み合わせの数を十分に確保しやすい。
例えば、本実施形態のように、楽曲の数が８１曲（ジャンルの数である９と各ジャンルの楽曲の数である９とを乗算した結果）であり、選択可能な歌詞の文字列の文字数が９である場合には、楽曲と歌詞における位置（ここでは、１文字分〜９文字分の位置）との組み合わせの数は、８１×（９＋８＋７＋６＋５＋４＋３＋２＋１）＝３６４５通りとなる。０〜９の数字を使用する４桁のパスワードの組み合わせの数は１００００であり、これに対して、本実施形態において、選択可能な歌詞の文字列の文字数が９である場合には、楽曲の数が２２３曲（このとき、組み合わせの数は１００３５通りとなる）以上であると、組み合わせの数がより多くなる。
【００５７】
なお、本実施形態に係るパスワード設定・認証システムは、様々なものに適用されてもよく、例えば、テレビの特定のサービスへのログインなどのように、パスワードを使用するログインが必要なサービス全般に適用することが可能である。
【００５８】
ここで、本実施形態では、日本語の歌詞として、ひらがなと漢字が混じった歌詞の例を示したが、他の構成例として、ひらがなのみの歌詞、カタカナのみの歌詞、カタカナと漢字が混じった歌詞、または、ひらがなとカタカナと漢字が混じった歌詞が用いられてもよい。また、歌詞に、数字等の記号が含まれてもよい。
また、本実施形態では、文章の言語として、日本語（本実施形態では、主に日本語であり、アルファベットを含む）の文章を用いるが、他の構成例として、英語、中国語、韓国語などのように、日本語以外の任意の言語を用いてもよく、また、２種類以上の言語が混じった文章を用いることもできる。
【００５９】
また、本実施形態では、ユーザが画面に表示された複数の項目（本実施形態では、ジャンル、楽曲の名称、歌詞の文字などであり、例えば、これらのようなインデックス）の中から特定の項目を選択する手法として、端末２において、表示部２２が複数の項目について数字と項目とを対応付けて表示して、ユーザが操作部２１を操作して、数字を選択することで、当該数字に対応する項目を選択する手法を用いるが、他の様々な手法が用いられてもよい。
具体例として、端末２において、表示部２２が複数の項目を表示して、ユーザが操作部２１を操作して、項目を直接的に選択する手法が用いられてもよい。また、端末２において、表示部２２が複数の項目をテロップ等で時間的に切り替えて表示して、ユーザが操作部２１を操作して、所定のボタン（例えば、開始位置と終了位置についてｓｔａｒｔ／ｓｔｏｐボタン、など）を押下することで、この押下のタイミングに対応して表示されていた項目を選択する手法が用いられてもよい。また、端末２において、ユーザが歌う音声またはハミングする音声などを操作部２１が入力して、入力した音声に基づいて音声認識機能を使用して項目を特定（ここの例では、選択）する手法が用いられてもよい。
【００６０】
また、本実施形態では、楽曲の歌詞を用いてパスワードを設定するが、他の構成例として、楽曲の歌詞の代わりに、小説の文章、俳句の文章、芝居のセリフ（文章）などのように、文章を含んで構成される様々な情報（文章情報）の文章が用いられてもよい。小説や俳句や芝居などについても、それより上位のジャンルがあり、場合によって、それより下位のまとまり（例えば、小節など）があり、楽曲の場合（例えば、ジャンルや、パート）と同様に利用することが可能である。また、項目としては、様々なものが用いられてもよく、例えば、作成した者の名前（例えば、作詞家、作曲家、作者）、年代などを用いることができる。
【００６１】
［本実施形態（第１実施形態）の変形例１］
本実施形態では、端末２において、表示部２２が図４に示されるジャンル選択画面１０１を表示して、ユーザによりジャンルを選択する構成を示したが、他の構成例として、このようなジャンルの選択の処理（図８に示されるフローチャートにおける処理Ｔ２〜処理Ｔ４）を省略する構成が用いられてもよい。この構成では、図８に示されるフローチャートにおける処理Ｔ１の後に処理５が行われ、具体的には、処理Ｔ５では、設定・認証サーバ１において、楽曲管理部１２が、あらかじめ定められた楽曲の一覧（楽曲一覧）の情報を抽出する（処理Ｔ５の他の例）。
【００６２】
［本実施形態（第１実施形態）の変形例２］
また、本実施形態では、項目として、ユーザがジャンル、楽曲（名称）、歌詞における位置を選択する構成を示したが、他の構成例として、さらに多くの項目をユーザが選択する構成が用いられてもよい。
具体例として、ユーザに楽曲を選択させた後に、選択された楽曲の歌詞におけるパートを選択させる構成を用いることができる。このパートとしては、例えば、Ａメロのパート、Ｂメロのパート、サビのパート、または、任意の行のパートなどを用いることができる。
【００６３】
この構成では、図８に示されるフローチャートにおける処理Ｔ７〜処理Ｔ１１として、一例として、次のような処理を行う。
端末２において、通信部２３が設定・認証サーバ１から送信された楽曲一覧の情報を受信すると、表示部２２が図５に示される楽曲選択画面１０２を表示し、ユーザが操作部２１を操作して楽曲を選択する。また、続いて、端末２において、ユーザが操作部２１を操作して、選択した楽曲の歌詞におけるパートを選択する（処理Ｔ７の他の例）。
ここで、例えば、設定・認証サーバ１の通信部１６が楽曲一覧の情報と共にパートの一覧の情報を端末２に対して送信する（処理Ｔ６の他の例）構成とすることにより、端末２において、通信部２３が当該パートの一覧の情報を受信し、表示部２２が受信されたパートの一覧の情報を画面に表示して、ユーザに参照させることが可能である。
【００６４】
端末２において、通信部２３がユーザにより選択された楽曲を識別する情報（ＩＤ）およびパートを識別する情報（ＩＤ）を設定・認証サーバ１に対して送信する（処理Ｔ８の他の例）。
設定・認証サーバ１において、通信部１６が端末２から送信された楽曲のＩＤ（楽曲ＩＤ）およびパートのＩＤ（パートＩＤ）を受信すると、楽曲管理部１２が、この楽曲ＩＤに該当する楽曲におけるこのパートＩＤに該当する歌詞（歌詞における該当するパート）の情報を抽出し（処理Ｔ９の他の例）、歌詞提示部１３が抽出された歌詞（歌詞における該当するパート）の情報を通信部１６を介して端末２に対して送信する（処理Ｔ１０の他の例）。
端末２において、通信部２３が設定・認証サーバ１から送信された歌詞（歌詞におけるパート）の情報を受信すると、表示部２２が当該歌詞（歌詞におけるパート）の情報を表示し、ユーザが操作部２１を操作して当該歌詞（歌詞におけるパート）のうちで位置（本実施形態では、開始位置と終了位置）を選択する（処理Ｔ１１の他の例）。
【００６５】
［本実施形態（第１実施形態）の変形例３］
本実施形態では、パスワード情報として、楽曲を識別する情報（ＩＤ）と、当該楽曲の歌詞における位置（本実施形態では、開始位置と終了位置）を識別する情報（ＩＤ）との組み合わせを用いており、これらの情報が同一であれば、同一のパスワードとして処理される。
これに対して、他の構成例として、楽曲を識別する情報（ＩＤ）と歌詞における位置を識別する情報（ＩＤ）と共に、さらに、ジャンルやパートなどといった１つ以上の項目を識別する情報（ＩＤ）も組み合わせたものをパスワード情報として用いることができる。この場合、パスワードを構成する複数の項目の組み合わせが増えるときには、パスワードのセキュリティ性をより高めることが可能である。
【００６６】
さらに、他の構成例として、楽曲を識別する情報（ＩＤ）と歌詞における位置を識別する情報（ＩＤ）と共に、ジャンルやパートなどといった１つ以上の項目を識別する情報（ＩＤ）も組み合わせたものをパスワード情報として用いる場合に、各項目を選択する順序（複数の項目の階層の経路）についても、パスワード情報に含める構成が用いられてもよい。この場合、パスワード情報に含まれる複数の項目が同一であっても、その選択の順序（複数の項目の階層の経路）が異なるときには、異なるパスワード情報として処理されるため、パスワードのセキュリティ性をより高めることが可能である。具体例として、ジャンルがＡ（Ａはあるジャンルを示す）で、年代がＢ（Ｂはある年代を示す）で、名称がＣ（Ｃはある名称を示す）で、文章の位置がＤ（Ｄはある文章の位置を示す）であるという４個の項目がこの順序で選択されるパスワード情報と、年代がＢで、ジャンルがＡで、名称がＣで、文章の位置がＤであるという４個の項目がこの順序で選択されるパスワード情報とを、異なるものとして処理することができる。
【００６７】
［本実施形態（第１実施形態）の変形例４］
本実施形態では、楽曲の歌詞における１箇所の位置を含むパスワード情報を用いるが、他の構成例として、楽曲の歌詞における複数の異なる箇所の位置を含むパスワード情報を用いることができる。この構成では、図８に示されるフローチャートにおける処理Ｔ１１では、ユーザが操作部２１を操作して歌詞のうちで複数の異なる位置（本実施形態では、開始位置と終了位置）を選択する（処理Ｔ１１の他の例）。この場合、パスワードを構成する歌詞における位置の数が増え、パスワードのセキュリティ性をより高めることが可能である。
【００６８】
さらに、他の構成例として、楽曲の歌詞における複数の異なる箇所の位置を含むパスワード情報を用いる場合に、歌詞における複数の異なる個所の位置を選択する順序（複数の位置の階層の経路）についても、パスワード情報に含める構成が用いられてもよい。この場合、パスワード情報に含まれる複数の位置が同一であっても、その選択の順序（複数の位置の階層の経路）が異なるときには、異なるパスワード情報として処理されるため、パスワードのセキュリティ性をより高めることが可能である。
【００６９】
［第２実施形態］
本実施形態では、図１に示されるパスワード設定・認証システム（本実施形態に係るパスワード設定・認証システム）におけるパスワードの認証について説明する。
図９は、本実施形態に係るジャンル選択画面２０１の一例を示す図である。
図１０は、本実施形態に係る楽曲選択画面２０２の一例を示す図である。
図１１は、本実施形態に係る開始位置選択画面２０３の一例を示す図である。
図１２は、本実施形態に係る終了位置選択画面２０４の一例を示す図である。
図１３は、本実施形態に係るパスワード認証処理の流れの一例を示すフローチャート図である。
【００７０】
本実施形態では、図１３および図９〜図１２を参照して、ユーザが端末２を操作して、当該端末２から設定・認証サーバ１へアクセスし、当該ユーザのパスワード情報を使用して設定・認証サーバ１にログインする処理の手順の一例を示す。このとき、設定・認証サーバ１は、ユーザのパスワード情報に基づいて、当該ユーザが正当な者（本実施形態では、登録された者）であるか否かを判定する認証処理を行う。
【００７１】
ここで、本実施形態では、第１実施形態に係る図８に示されるフローチャートにおける処理により、既に、ユーザ管理部１１がユーザＩＤとパスワード情報を対応付けてパスワード情報記憶部１００１に記憶して登録しているとする。また、本実施形態では、楽曲ＩＤと位置ＩＤとの組み合わせの情報を、パスワード情報として用いている。
【００７２】
まず、端末２において、ユーザが操作部２１を操作して、ログインの設定要求と、当該ユーザのＩＤ（ユーザＩＤ）を入力すると、通信部２３が、このログイン要求およびユーザＩＤを設定・認証サーバ１に対して送信する（処理Ｔ５１）。
なお、本実施形態では、端末２において、ユーザが操作部２１を操作してユーザＩＤを入力する構成を示すが、他の構成例として、ユーザＩＤがあらかじめ端末２のメモリに記憶されていてもよい。
あるいは、あらかじめ端末２のメモリに記憶されている端末１台１台に固有のＩＤをユーザを識別する情報の替わりとして使用してもよい。
【００７３】
設定・認証サーバ１において、通信部１６が端末２から送信されたログイン要求およびユーザＩＤを受信すると、ユーザ管理部１１が当該ユーザＩＤを認識する。
また、設定・認証サーバ１において、認証部１５が、このログイン要求を受けて、以下のような認証処理（処理Ｔ５２〜処理Ｔ６４）を実行するように制御する。
【００７４】
設定・認証サーバ１において、楽曲管理部１２が、楽曲のジャンル一覧の情報を通信部１６を介して端末２に対して送信する（処理Ｔ５２）。
端末２において、通信部２３が設定・認証サーバ１から送信されたジャンル一覧の情報を受信すると、表示部２２が図９に示されるジャンル選択画面２０１を表示し、ユーザが操作部２１を操作してジャンルを選択する（処理Ｔ５３）。
【００７５】
図９に示されるジャンル選択画面２０１では、ユーザに対してジャンルを選択することを促す「あらかじめ決めた曲のジャンルを選択してください。」という文に続いて、ジャンルの一覧が示される。また、図９に示されるジャンル選択画面２０１では、各ジャンルの横に「１」〜「９」の数字が示される。
この例では、ジャンルの一覧として、「童謡」、「歌謡曲（歌手名：あ行・か行）」、・・・、「歌謡曲（歌手名：Ａ〜Ｈ）」、「歌謡曲（歌手名：Ｉ〜Ｐ）」、「歌謡曲（歌手名：Ｑ〜Ｚ）」が示される。また、この例では、ユーザは、操作部２１を操作して「１」〜「９」のうちのいずれかの数字を選択することで、選択した数字に対応するジャンルを選択する。この例では、ユーザは「２」を選択しており、ジャンル選択画面２０１では、選択されているジャンル「歌謡曲（歌手名：あ行・か行）」を囲む枠２１１が示される。
【００７６】
端末２において、通信部２３がユーザにより選択されたジャンルを識別する情報（ＩＤ）を設定・認証サーバ１に対して送信する（処理Ｔ５４）。
設定・認証サーバ１において、通信部１６が端末２から送信されたジャンルのＩＤ（ジャンルＩＤ）を受信すると、楽曲管理部１２が、このジャンルＩＤに該当するジャンルに対応付けられた楽曲の一覧（楽曲一覧）の情報を抽出し（処理Ｔ５５）、抽出した楽曲一覧の情報を通信部１６を介して端末２に対して送信する（処理Ｔ５６）。ここで、楽曲一覧の情報は、例えば、当該ジャンルの楽曲全てをまとめた情報として送信されてもよく、または、表示部２２において表示される複数のページ毎に分けられた情報として送信されてもよい。
【００７７】
端末２において、通信部２３が設定・認証サーバ１から送信された楽曲一覧の情報を受信すると、表示部２２（本実施形態では、その対象候補表示部１１０１）が図１０に示される楽曲選択画面２０２を表示し、ユーザが操作部２１を操作して楽曲を選択する（処理Ｔ５７）。操作部２１（本実施形態では、そのパスワード情報取得部１１０３）は、その選択結果を取得する。
【００７８】
図１０に示される楽曲選択画面２０２では、ユーザに対して楽曲を選択することを促す「あらかじめ決めた曲を選択してください。」という文に続いて、楽曲の一覧が示される。また、図１０に示される楽曲選択画面２０２では、各楽曲の横に「１」〜「９」の数字が示される。
この例では、楽曲の一覧として、「○○○」、「△△△」、・・・、「×××」（例えば、それぞれ、楽曲の名称）が示される。また、この例では、ユーザは、操作部２１を操作して「１」〜「９」のうちのいずれかの数字を選択することで、選択した数字に対応する楽曲を選択する。この例では、ユーザは「２」を選択しており、楽曲選択画面２０２では、選択されている楽曲「△△△」を囲む枠２１２が示される。
【００７９】
端末２において、通信部２３がユーザにより選択された楽曲を識別する情報（ＩＤ）を設定・認証サーバ１に対して送信する（処理Ｔ５８）。
設定・認証サーバ１において、通信部１６が端末２から送信された楽曲のＩＤ（楽曲ＩＤ）を受信すると、楽曲管理部１２が、この楽曲ＩＤに該当する楽曲の歌詞の情報を抽出し（処理Ｔ５９）、歌詞提示部１３が抽出された歌詞の情報を通信部１６を介して端末２に対して送信する（処理Ｔ６０）。ここで、歌詞の情報は、例えば、当該楽曲の歌詞全てをまとめた情報として送信されてもよく、または、表示部２２において表示される複数のページ毎に分けられた情報として送信されてもよい。また、設定・認証サーバ１から端末２に送信される楽曲の歌詞の情報は、例えば、当該楽曲の歌詞の全ての情報が用いられてもよく、または、当該楽曲の歌詞のうちであらかじめ定められた一部の情報が用いられてもよい。なお、設定・認証サーバ１から端末２に送信される歌詞が、当該楽曲の歌詞の全てでない場合には、送信される歌詞が楽曲の先頭から何文字目であるか、もしくは何行目であるかという情報も送信してもよい。
【００８０】
端末２において、通信部２３が設定・認証サーバ１から送信された歌詞の情報を受信すると、表示部２２（本実施形態では、その文章表示部１１０２）が当該歌詞の情報を表示し、ユーザが操作部２１を操作して当該歌詞のうちで位置（本実施形態では、開始位置と終了位置）を選択する（処理Ｔ６１）。操作部２１（本実施形態では、そのパスワード情報取得部１１０３）は、その選択結果を取得する。
具体的には、端末２において、表示部２２が図１１に示される開始位置選択画面２０３を表示し、ユーザが操作部２１を操作して開始位置を選択する（処理Ｔ６１における開始位置を選択する処理）。
【００８１】
図１１に示される開始位置選択画面２０３では、ユーザに対して歌詞における開始位置を選択することを促す「あらかじめ決めた開始位置を選択してください。」という文に続いて、「明日はきっと晴れる」という歌詞（この例では、歌詞の一部）が示される。また、図１１に示される開始位置選択画面２０３では、この歌詞を構成する各文字の上に「１」〜「９」の数字が示される。
この例では、ユーザは、操作部２１を操作して「１」〜「９」のうちのいずれかの数字を選択することで、選択した数字に対応する文字を開始位置として選択する。この例では、ユーザは、「７」を選択しており、それに対応する「晴」という文字を選択している。開始位置選択画面２０３では、選択されている「晴」という文字を囲む枠２１３が示される。
【００８２】
続いて、端末２において、表示部２２が図１２に示される終了位置選択画面２０４を表示し、ユーザが操作部２１を操作して終了位置を選択する（処理Ｔ６１における終了位置を選択する処理）。
【００８３】
図１２に示される終了位置選択画面２０４では、ユーザに対して歌詞における終了位置を選択することを促す「あらかじめ決めた終了位置を選択してください。」という文に続いて、開始位置選択画面２０３の場合と同じ「明日はきっと晴れる」という歌詞（この例では、歌詞の一部）が示される。また、図１２に示される終了位置選択画面２０４では、開始位置選択画面２０３の場合と同じように、この歌詞を構成する各文字の上に「１」〜「９」の数字が示される。
この例では、ユーザは、操作部２１を操作して「１」〜「９」のうちのいずれかの数字を選択することで、選択した数字に対応する文字を終了位置として選択する。この例では、ユーザは、「９」を選択しており、それに対応する「る」という文字を選択している。終了位置選択画面２０４では、開始位置と終了位置により選択されている「晴れる」という文字列を囲む枠２１４が示される。
【００８４】
ここで、図１１に示される開始位置選択画面２０３および図１２に示される終了位置選択画面２０４では、歌詞の一部である「明日はきっと晴れる」という文字列を一画面で表示しているが、他の構成例として、歌詞の全部、または、歌詞の一部であるが異なる分量を一画面で表示する構成が用いられてもよい。また、図１１に示される開始位置選択画面２０３および図１２に示される終了位置選択画面２０４では、歌詞における１行分の文字列を一画面で表示しているが、他の構成例として、歌詞における複数の行の文字列をまとめて一画面で表示する構成が用いられてもよい。また、図１１に示される開始位置選択画面２０３や図１２に示される終了位置選択画面２０４において、歌詞の一部を一画面に表示する場合には、例えば、ユーザが操作部２１を操作して、ページを切り替えると、表示部２２が歌詞の他の部分を表示させるように表示画面の内容を切り替える。
なお、設定・認証サーバ１から端末２に送信される歌詞が楽曲の先頭から何文字目であるかという情報が送信されている場合には、楽曲の先頭からの開始位置は、開始位置選択画面２０３で指定された歌詞の先頭からの文字数に楽曲の先頭からの文字数を加算したものとする。楽曲の先頭からの終了位置についても同様に、終了位置選択画面２０４で指定された歌詞の先頭からの文字数に楽曲の先頭からの文字数を加算したものとする。
【００８５】
また、楽曲の歌詞における位置としては、本実施形態では、歌詞における任意の文字を開始位置や終了位置として選択することが可能であるが、他の構成例として、１または複数の単語の単位や、１または複数の文の単位で、歌詞における位置を選択する構成が用いられてもよい。
また、楽曲の歌詞における位置を識別する情報としては、様々なものが用いられてもよい。
本実施形態では、楽曲の歌詞における位置を識別する情報として、一例として、歌詞における開始位置を識別する情報および終了位置を識別する情報の組み合わせ（という形式）を用いることができ、他の例として、歌詞における開始位置を識別する情報および選択部分（開始位置から終了位置までの部分）の文字数を識別する情報の組み合わせ（という形式）を用いることができる。あるいは、歌詞における開始位置を識別する情報および選択部分の文字列の組み合わせを用いることもできる。また、開始位置・終了位置を識別する情報についても、楽曲の先頭からの文字位置で表す代わりに、楽曲の先頭からの行数と行の先頭からの文字位置との組み合わせで表すことも可能である。なお、このような、楽曲の歌詞における位置を識別する情報としては、例えば、端末２において記憶される情報や、端末２と設定・認証サーバ１との間で通信される情報や、設定・認証サーバ１において記憶される情報のそれぞれについて、同じ形式の情報が用いられてもよく、または、異なる形式の情報が用いられてもよい。
【００８６】
端末２において、通信部２３がユーザにより選択された位置（本実施形態では、開始位置と終了位置）を識別する情報（位置ＩＤ）を設定・認証サーバ１に対して送信する（処理Ｔ６２）。
設定・認証サーバ１において、通信部１６が端末２から送信された位置ＩＤを受信すると、認証部１５が、処理Ｔ５１で受信したユーザＩＤと、処理Ｔ５８で受信した楽曲ＩＤと、処理Ｔ６２で受信した位置ＩＤ（本実施形態では、開始位置を識別する情報および終了位置を識別する情報）の対応付けが、ユーザ管理部１１（本実施形態では、そのパスワード情報記憶部１００１）に記憶（登録）されているユーザＩＤと、パスワード情報（楽曲ＩＤと位置ＩＤとの組み合わせ）の対応付けと一致（合致）するか否かを照合して判定（認証）する（処理Ｔ６３）。
この結果、認証部１５は、これらの対応付けが一致すると判定した場合には、端末２から受信されたユーザＩＤおよびパスワードが正当なものであるとして、ログインを認める処理を実行する。一方、認証部１５は、これらの対応付けが一致しないと判定した場合には、端末２から受信されたユーザＩＤおよびパスワードが正当ではないもの（不当なもの）であるとして、ログインを拒否する処理を実行する。
これにより、設定・認証サーバ１において、パスワードの認証が完了する（処理Ｔ６４）。
【００８７】
以上のように、本実施形態に係るパスワード設定・認証システムでは、楽曲の歌詞に含まれる文字（例えば、歌詞における一部分の文字列、１文字、または、歌詞における全ての文字列）をパスワードに使用する。
【００８８】
したがって、本実施形態に係るパスワード設定・認証システムによると、効果的なパスワードを使用することができ、例えば、入力が簡単で、覚えやすく、忘れにくく、かつ破られにくいパスワードを使用することができる。
このような効果の具体例については、第１実施形態で述べたのと同様である。
【００８９】
なお、本実施形態に係るパスワード設定・認証システムは、様々なものに適用されてもよく、例えば、テレビの特定のサービスへのログインなどのように、パスワードを使用するログインが必要なサービス全般に適用することが可能である。
【００９０】
ここで、本実施形態では、日本語の歌詞として、ひらがなと漢字が混じった歌詞の例を示したが、他の構成例として、ひらがなのみの歌詞、カタカナのみの歌詞、カタカナと漢字が混じった歌詞、または、ひらがなとカタカナと漢字が混じった歌詞が用いられてもよい。また、歌詞に、数字等の記号が含まれてもよい。
また、本実施形態では、文章の言語として、日本語（本実施形態では、主に日本語であり、アルファベットを含む）の文章を用いるが、他の構成例として、英語、中国語、韓国語などのように、日本語以外の任意の言語を用いてもよく、また、２種類以上の言語が混じった文章を用いることもできる。
【００９１】
また、本実施形態では、ユーザが画面に表示された複数の項目（本実施形態では、ジャンル、楽曲の名称、歌詞の文字）の中から特定の項目を選択する手法として、端末２において、表示部２２が複数の項目について数字と項目とを対応付けて表示して、ユーザが操作部２１を操作して、数字を選択することで、当該数字に対応する項目を選択する手法を用いるが、他の様々な手法が用いられてもよい。
このような他の手法の具体例については、第１実施形態で述べたのと同様である。
【００９２】
また、本実施形態では、楽曲の歌詞を用いてパスワードを設定するが、他の構成例として、楽曲の歌詞の代わりに、小説の文章、俳句の文章、芝居のセリフ（文章）などのように、文章を含んで構成される様々な情報（文章情報）の文章が用いられてもよい。
これについては、第１実施形態で述べたのと同様である。
【００９３】
［本実施形態（第２実施形態）の変形例１］
本実施形態では、端末２において、表示部２２が図９に示されるジャンル選択画面２０１を表示して、ユーザによりジャンルを選択する構成を示したが、他の構成例として、このようなジャンルの選択の処理（図１３に示されるフローチャートにおける処理Ｔ５２〜処理Ｔ５４）を省略する構成が用いられてもよい。この構成では、図１３に示されるフローチャートにおける処理Ｔ５１の後に処理５５が行われ、具体的には、処理Ｔ５５では、設定・認証サーバ１において、楽曲管理部１２が、あらかじめ定められた楽曲の一覧（楽曲一覧）の情報を抽出する（処理Ｔ５５の他の例）。
【００９４】
［本実施形態（第２実施形態）の変形例２］
また、本実施形態では、項目として、ユーザがジャンル、楽曲（名称）、歌詞における位置を選択する構成を示したが、他の構成例として、さらに多くの項目をユーザが選択する構成が用いられてもよい。
具体例として、ユーザに楽曲を選択させた後に、選択された楽曲の歌詞におけるパートを選択させる構成を用いることができる。このパートとしては、例えば、Ａメロのパート、Ｂメロのパート、サビのパート、または、任意の行のパートなどを用いることができる。
【００９５】
この構成では、図１３に示されるフローチャートにおける処理Ｔ５７〜処理Ｔ６１として、一例として、次のような処理を行う。
端末２において、通信部２３が設定・認証サーバ１から送信された楽曲一覧の情報を受信すると、表示部２２が図１０に示される楽曲選択画面２０２を表示し、ユーザが操作部２１を操作して楽曲を選択する。また、続いて、端末２において、ユーザが操作部２１を操作して、選択した楽曲の歌詞におけるパートを選択する（処理Ｔ５７の他の例）。
ここで、例えば、設定・認証サーバ１の通信部１６が楽曲一覧の情報と共にパートの一覧の情報を端末２に対して送信する（処理Ｔ５６の他の例）構成とすることにより、端末２において、通信部２３が当該パートの一覧の情報を受信し、表示部２２が受信されたパートの一覧の情報を画面に表示して、ユーザに参照させることが可能である。
【００９６】
端末２において、通信部２３がユーザにより選択された楽曲を識別する情報（ＩＤ）およびパートを識別する情報（ＩＤ）を設定・認証サーバ１に対して送信する（処理Ｔ５８の他の例）。
設定・認証サーバ１において、通信部１６が端末２から送信された楽曲のＩＤ（楽曲ＩＤ）およびパートのＩＤ（パートＩＤ）を受信すると、楽曲管理部１２が、この楽曲ＩＤに該当する楽曲におけるこのパートＩＤに該当する歌詞（歌詞における該当するパート）の情報を抽出し（処理Ｔ５９の他の例）、歌詞提示部１３が抽出された歌詞（歌詞における該当するパート）の情報を通信部１６を介して端末２に対して送信する（処理Ｔ６０の他の例）。
端末２において、通信部２３が設定・認証サーバ１から送信された歌詞（歌詞におけるパート）の情報を受信すると、表示部２２が当該歌詞（歌詞におけるパート）の情報を表示し、ユーザが操作部２１を操作して当該歌詞（歌詞におけるパート）のうちで位置（本実施形態では、開始位置と終了位置）を選択する（処理Ｔ６１の他の例）。
【００９７】
［本実施形態（第２実施形態）の変形例３］
本実施形態に係る認証処理においても、［本実施形態（第１実施形態）の変形例３］で述べたのと同様なパスワード情報を用いることが可能である。
【００９８】
［本実施形態（第２実施形態）の変形例４］
本実施形態では、楽曲の歌詞における１箇所の位置を含むパスワード情報を用いるが、他の構成例として、楽曲の歌詞における複数の異なる箇所の位置を含むパスワード情報を用いることができる。この構成では、図１３に示されるフローチャートにおける処理Ｔ６１では、ユーザが操作部２１を操作して歌詞のうちで複数の異なる位置（本実施形態では、開始位置と終了位置）を選択する（処理Ｔ６１の他の例）。この場合、パスワードを構成する歌詞における位置の数が増え、パスワードのセキュリティ性をより高めることが可能である。
【００９９】
さらに、他の構成例として、楽曲の歌詞における複数の異なる箇所の位置を含むパスワード情報を用いる場合に、歌詞における複数の異なる個所の位置を選択する順序（複数の位置の階層の経路）についても、パスワード情報に含める構成が用いられてもよい。この場合、パスワード情報に含まれる複数の位置が同一であっても、その選択の順序（複数の位置の階層の経路）が異なるときには、異なるパスワード情報として処理されるため、パスワードのセキュリティ性をより高めることが可能である。
【０１００】
［第３実施形態］
本実施形態では、第１実施形態に係るパスワード設定・認証システムにおけるパスワードの設定処理や、第２実施形態に係るパスワード設定・認証システムにおけるパスワードの認証処理において、端末２の表示部２２により画面に表示する情報の言語（少なくとも、歌詞の言語）として、英語を用いる。
【０１０１】
また、本実施形態では、楽曲の歌詞における位置を、単語の単位で、選択する構成を用いる。
具体例として、端末２において、設定・認証サーバ１から受信した歌詞（文字列）の情報に含まれる所定の記号等に基づいて、歌詞（文字列）に含まれる単語の区切りを特定する。
ここで、単語の区切りを表すと判定（特定）するための前記所定の記号等としては、任意のものが用いられてもよく、例えば、スペースの記号（“  ”）、カンマの記号（“，”）、ピリオドの記号（“．”）などを用いることができる。この場合、例えば、隣り合う前記所定の記号等で囲まれた文字列の部分を１つの単語であると判定（特定）することができる。
【０１０２】
図１４は、本実施形態に係る英語を用いる位置選択画面３０１の一例を示す図である。
図１４に示される位置選択画面３０１では、ユーザに対して歌詞における位置を選択することを促す英語の文（この例では、上の２行分の文）に続いて、英語の歌詞（この例では、歌詞の一部）が示される。
この例では、ユーザは、操作部２１を操作して、単語の単位で、歌詞における１つの単語または連続する複数の単語を、１箇所の位置として、選択することができる。この例では、ユーザは、「ｆｉｎｅ」という英語の単語（文字列）を選択している。位置選択画面３０１では、選択されている「ｆｉｎｅ」という単語を囲む枠３１１が示される。
【０１０３】
ここで、本実施形態では、図１４に示されるような位置選択画面３０１において、歌詞における位置について、実質的に、開始位置と終了位置の両方を選択することになる。このような位置の選択の手法は、例えば、日本語などの他の言語に適用することも可能である。
また、他の構成例として、歌詞の言語が英語であるときにおいても、第１実施形態や第２実施形態の場合と同様に、歌詞における開始位置の文字と終了位置の文字を選択することで、歌詞における位置を選択する構成を用いることができ、または、歌詞における開始位置とそこからの文字数を選択（または、指定）することで、歌詞における位置を選択する構成を用いることができる。
【０１０４】
［第４実施形態］
本実施形態では、第１実施形態に係るパスワード設定・認証システムにおけるパスワードの設定処理や、第２実施形態に係るパスワード設定・認証システムにおけるパスワードの認証処理において、端末２の表示部２２により画面に表示する情報の言語（少なくとも、歌詞の言語）として、中国語を用いる。
【０１０５】
また、本実施形態では、楽曲の歌詞における位置を、単語の単位で、選択する構成を用いる。
具体例として、設定・認証サーバ１において、楽曲管理部１２は、楽曲の歌詞の情報として、単語の区切りごとに区切りを示す特定のデータを有する歌詞の情報を管理し、歌詞提示部１３は、このような歌詞の情報を通信部１６を介して端末２に対して送信する。そして、端末２において、受信した歌詞の情報に含まれる前記特定のデータに基づいて、歌詞に含まれる単語の区切りを特定する。
【０１０６】
図１５は、本実施形態に係る中国語を用いる位置選択画面４０１の一例を示す図である。
図１５に示される位置選択画面４０１では、ユーザに対して歌詞における位置を選択することを促す中国語の文（この例では、上の１行分の文）に続いて、中国語の歌詞（この例では、歌詞の一部）が示される。
この例では、ユーザは、操作部２１を操作して、単語の単位で、歌詞における１つの単語または連続する複数の単語を、１箇所の位置として、選択することができる。この例では、ユーザは、「晴天」という中国語の単語（文字列）を選択している。位置選択画面４０１では、選択されている「晴天」という単語を囲む枠４１１が示される。
【０１０７】
ここで、本実施形態では、図１５に示されるような位置選択画面４０１において、歌詞における位置について、実質的に、開始位置と終了位置の両方を選択することになる。このような位置の選択の手法は、例えば、日本語などの他の言語に適用することも可能である。
また、他の構成例として、歌詞の言語が中国語であるときにおいても、第１実施形態や第２実施形態の場合と同様に、歌詞における開始位置の文字と終了位置の文字を選択することで、歌詞における位置を選択する構成を用いることができ、または、歌詞における開始位置とそこからの文字数を選択（または、指定）することで、歌詞における位置を選択する構成を用いることができる。
【０１０８】
［以上の実施形態に関する構成例］
一構成例として、認証システム（本実施形態では、パスワード設定・認証システム）は、文章（本実施形態では、歌詞）を含む対象（本実施形態では、楽曲）を識別する情報（本実施形態では、楽曲ＩＤ）および当該文章における位置（本実施形態では、開始位置および終了位置）を識別する情報（本実施形態では、位置ＩＤ）を含むパスワード情報を記憶するパスワード情報記憶部１００１と、パスワードの認証のために、文章を含む対象を識別する情報および当該文章における位置を識別する情報を含むパスワード情報を取得するパスワード情報取得部１１０３と、前記パスワード情報取得部１１０３により取得されたパスワード情報について、前記パスワード情報記憶部１００１に記憶されたパスワード情報と照合して、パスワードの認証を行う認証部１５と、を備える。
したがって、このような認証システムでは、効果的なパスワードを使用することができる。
【０１０９】
ここで、文章を含む対象や、その対象に含まれる文章としては、様々なものが用いられてもよい。
また、文章における位置としては、様々な態様で、指定されてもよい。
また、パスワード情報には、対象を識別する情報および当該対象に含まれる文章における位置を識別する情報とは別の情報が含まれてもよい。
また、パスワード情報は、様々な態様で、取得されてもよい。
また、各処理部（パスワード情報記憶部１００１、パスワード情報取得部１１０３、認証部１５）は、それぞれ、システムにおける任意の装置に備えられてもよい。
【０１１０】
一構成例として、認証システムは、前記対象の候補を表示する対象候補表示部１１０１と、前記対象候補表示部１１０１により表示された前記対象の候補のうちで前記ユーザにより指定された対象について、当該対象に含まれる文章の一部または全部を表示する文章表示部１１０２と、を備え、前記パスワード情報取得部１１０３は、前記対象候補表示部１１０１により表示された前記対象の候補のうちで前記ユーザにより指定された対象を識別する情報を取得し、前記文章表示部１１０２により表示された前記指定された対象に含まれる文章の一部または全部のうちで前記ユーザにより指定された位置を識別する情報を取得する。
したがって、このような認証システムでは、表示された対象の候補の中からユーザにより対象を指定（例えば、選択）することができ、また、表示された文章の中からユーザにより位置を指定（例えば、選択）することができる。これにより、対象の指定や、文章における位置の指定を、ユーザにとって、容易化することができる。
ここで、文章表示部１１０２は、例えば、あらかじめ定められた情報に従って、対象に含まれる文章の一部を表示してもよく、または、対象に含まれる文章の全部を表示してもよい。
また、各処理部（対象候補表示部１１０１、文章表示部１１０２）は、それぞれ、システムにおける任意の装置に備えられてもよい。
【０１１１】
一構成例として、認証システムでは、前記パスワード情報は、前記対象という項目および前記文章における位置という項目を含む複数の項目を識別する情報を含み、これら複数の項目の順序も含む。
したがって、このような認証システムでは、より効果的なパスワードを使用することができる。具体的には、パスワード情報に含まれる複数の項目が一致しても、これら複数の項目の順序が一致しないと、異なるパスワード情報であると判定するため、セキュリティ性を高めることができる。
ここで、対象および文章における位置以外の項目としては、様々なものが用いられてもよく、例えば、ジャンルという項目や、パートという項目などを用いることができる。
また、対象および文章における位置以外の項目の数としては、様々な数が用いられてもよい。
【０１１２】
一構成例として、認証システムでは、前記パスワード情報は、前記対象に含まれる文章における複数の異なる位置を識別する情報を含む。
したがって、このような認証システムでは、より効果的なパスワードを使用することができる。具体的には、パスワード情報に含まれる文章における位置を識別する情報を複数用いるため、セキュリティ性を高めることができる。
ここで、対象に含まれる文章における複数の異なる位置の数としては、様々な数が用いられてもよい。
【０１１３】
一構成例として、パスワード設定システムは、パスワードの設定のために、文章（本実施形態では、歌詞）を含む対象（本実施形態では、楽曲）を識別する情報（本実施形態では、楽曲ＩＤ）および当該文章における位置（本実施形態では、開始位置および終了位置）を識別する情報（本実施形態では、位置ＩＤ）を含むパスワード情報を取得するパスワード情報取得部１１０３と、前記パスワード情報取得部１１０３により取得されたパスワード情報をパスワード情報記憶部１００１に記憶させて、パスワードの設定を行うパスワード設定部１４と、を備える。
したがって、このようなパスワード設定システムでは、効果的なパスワードを使用することができる。
【０１１４】
ここで、文章を含む対象や、その対象に含まれる文章としては、様々なものが用いられてもよい。
また、文章における位置としては、様々な態様で、指定されてもよい。
また、パスワード情報には、対象を識別する情報および当該対象に含まれる文章における位置を識別する情報とは別の情報が含まれてもよい。
また、パスワード情報は、様々な態様で、取得されてもよい。
また、各処理部（パスワード情報記憶部１００１、パスワード情報取得部１１０３、パスワード設定部１４）は、それぞれ、システムにおける任意の装置に備えられてもよい。
【０１１５】
一構成例として、パスワード設定システムは、前記対象の候補を表示する対象候補表示部１１０１と、前記対象候補表示部１１０１により表示された前記対象の候補のうちで前記ユーザにより指定された対象について、当該対象に含まれる文章の一部または全部を表示する文章表示部１１０２と、を備え、前記パスワード情報取得部１１０３は、前記対象候補表示部１１０１により表示された前記対象の候補のうちで前記ユーザにより指定された対象を識別する情報を取得し、前記文章表示部１１０２により表示された前記指定された対象に含まれる文章の一部または全部のうちで前記ユーザにより指定された位置を識別する情報を取得する。
したがって、このようなパスワード設定システムでは、表示された対象の候補の中からユーザにより対象を指定（例えば、選択）することができ、また、表示された文章の中からユーザにより位置を指定（例えば、選択）することができる。これにより、対象の指定や、文章における位置の指定を、ユーザにとって、容易化することができる。
ここで、文章表示部１１０２は、例えば、あらかじめ定められた情報に従って、対象に含まれる文章の一部を表示してもよく、または、対象に含まれる文章の全部を表示してもよい。
また、各処理部（対象候補表示部１１０１、文章表示部１１０２）は、それぞれ、システムにおける任意の装置に備えられてもよい。
【０１１６】
一構成例として、パスワード設定システムでは、前記パスワード情報は、前記対象という項目および前記文章における位置という項目を含む複数の項目を識別する情報を含み、これら複数の項目の順序も含む。
したがって、このようなパスワード設定システムでは、より効果的なパスワードを使用することができる。具体的には、パスワード情報に含まれる複数の項目が一致しても、これら複数の項目の順序が一致しないと、異なるパスワード情報であると判定するため、セキュリティ性を高めることができる。
ここで、対象および文章における位置以外の項目としては、様々なものが用いられてもよく、例えば、ジャンルという項目や、パートという項目などを用いることができる。
また、対象および文章における位置以外の項目の数としては、様々な数が用いられてもよい。
【０１１７】
一構成例として、パスワード設定システムでは、前記パスワード情報は、前記対象に含まれる文章における複数の異なる位置を識別する情報を含む。
したがって、このようなパスワード設定システムでは、より効果的なパスワードを使用することができる。具体的には、パスワード情報に含まれる文章における位置を識別する情報を複数用いるため、セキュリティ性を高めることができる。
ここで、対象に含まれる文章における複数の異なる位置の数としては、様々な数が用いられてもよい。
【０１１８】
［以上の実施形態のまとめ］
なお、以上に説明した装置における任意の構成部の機能を実現するためのプログラムを、コンピュータ読み取り可能な記録媒体に記録し、そのプログラムをコンピュータシステムに読み込ませて実行するようにしてもよい。なお、ここで言う「コンピュータシステム」とは、ＯＳ（Ｏｐｅｒａｔｉｎｇ  Ｓｙｓｔｅｍ）や周辺機器等のハードウェアを含むものとする。また、「コンピュータシステム」は、インターネットやＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピュータシステムに内蔵されるハードディスク等の記憶装置のことを言う。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ：Ｒａｎｄｏｍ  Ａｃｃｅｓｓ  Ｍｅｍｏｒｙ）のように、一定時間プログラムを保持しているものも含むものとする。
【０１１９】
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、上記のプログラムは、前述した機能をコンピュータシステムにすでに記録されているプログラムとの組み合わせで実現できるもの、いわゆる差分ファイル（差分プログラム）であってもよい。
【０１２０】
また、前述した機能の一部または全部を、ＬＳＩ（Ｌａｒｇｅ  Ｓｃａｌｅ  Ｉｎｔｅｇｒａｔｉｏｎ）等の集積回路として実現してもよい。前述した各機能は、個別にプロセッサ化されてもよいし、あるいは、一部または全部を集積してプロセッサ化されてもよい。また、集積回路化の手法としては、ＬＳＩに限られず、専用回路または汎用プロセッサで実現されてもよい。また、半導体技術の進歩によりＬＳＩに代替する集積回路化の技術が出現した場合には、当該技術による集積回路が用いられてもよい。
【０１２１】
以上、この発明の実施形態について図面を参照して詳述してきたが、具体的な構成はこの実施形態に限られるものではなく、この発明の要旨を逸脱しない範囲の設計等も含まれる。
なお、以上に示した各実施形態で記載されている技術的特徴（構成要件）は互いに組み合わせが可能である。
【０１２２】
また、以上の実施形態では、第１実施形態に係るパスワードの設定を行う機能と第２実施形態に係るパスワードの認証を行う機能との両方を備えるパスワード設定・認証システムを示したが、他の構成例として、これらの機能のうちで、パスワードの設定を行う機能のみを備えるパスワード設定システムを実施することや、または、パスワードの認証を行う機能のみを備えるパスワード認証システムを実施することも可能である。このようなパスワードの設定を行う機能のみを備えるパスワード設定システムを実施する場合には、パスワードの認証を行う機能（例えば、設定・認証サーバ１における認証部１５の機能）は省略されてもよく、また、このようなパスワードの認証を行う機能のみを備えるパスワード認証システムを実施する場合には、パスワードの設定を行う機能（例えば、設定・認証サーバ１におけるパスワード設定部１４の機能）は省略されてもよい。
【符号の説明】
【０１２３】
１…設定・認証サーバ、２…端末、３…回線、１１…ユーザ管理部、１２…楽曲管理部、１３…歌詞提示部、１４…パスワード設定部、１５…認証部、１６…通信部、２１…操作部、２２…表示部、２３…通信部、１０１、２０１…ジャンル選択画面、１０２、２０２…楽曲選択画面、１０３、２０３…開始位置選択画面、１０４、２０４…終了位置選択画面、１１１〜１１４、２１１〜２１４、３１１、４１１…枠、３０１、４０１…位置選択画面
【図１】
2014078162.tif 000003
【図２】
2014078162.tif 000004
【図３】
2014078162.tif 000005
【図４】
2014078162.tif 000006
【図５】
2014078162.tif 000007
【図６】
2014078162.tif 000008
【図７】
2014078162.tif 000009
【図８】
2014078162.tif 000010
【図９】
2014078162.tif 000011
【図１０】
2014078162.tif 000012
【図１１】
2014078162.tif 000013
【図１２】
2014078162.tif 000014
【図１３】
2014078162.tif 000015
【図１４】
2014078162.tif 000016
【図１５】
2014078162.tif 000017